(57)【要約】画像表示装置（Ａ）は、液晶パネルなどの表示装置（１）と、バックライトなどの光源（３）と、光源制御部（５）と、入力信号（Ｓ１）に基づいて、表示装置に対する制御を行う信号を出力する映像信号処理部（７）と、光源制御と映像制御とを含む全体を制御する制御部（１１）と、を有している。制御部（１１）は、入力信号（Ｓ１）に基づいて映像を解析する映像解析部（１５）と、解析結果（Ｓ２）を受けて光源の発光量の目標値を設定する目標値設定部（１７）と、目標値（Ｓ３）を受けて光源の制御速度を決定する制御量決定部（２１）であって光源制御部に対して設定輝度（Ｓ５）を通知するとともに、映像信号処理部（７）に対して補償パラメータ（Ｓ４）を出力する制御量決定部（２１）と、を有している。光源制御部（５）は、輝度設定値（Ｓ５）を受けて光源に対して光量制御信号（Ｓ６）を出力する。これにより画像表示における低消費電力化を図るとともに、視覚的に違和感のない表示を行う技術を提供することが可能になる。
2009044828.tif 000002
【特許請求の範囲】
【請求項１】
表示パネルと、該表示パネルを照射する光源と、を有する画像表示装置であって、入力信号に基づいて目標とする表示の明るさになるように制御する際に、光源が発する光量（以下、請求の範囲内において「光源輝度」と称する。）を変更するとともに、該光量の変更を補償するように前記表示パネルに出力する信号の輝度値を変更するための補償パラメータを設定する制御を行う制御部を有する画像表示装置において、
前記制御部は、前記輝度値の変更速度を可変とする制御を行うことを特徴とする画像表示装置。
【請求項２】
表示パネルと、該表示パネルを照射する光源と、を有する画像表示装置であって、入力信号に基づいて目標とする表示の明るさになるように制御する際に、光源が発する光量（以下、請求の範囲内において「光源輝度」と称する。）を変更するとともに、該光量の変更を補償するように前記表示パネルに出力する信号の輝度値を変更するための補償パラメータを設定する制御を行う制御部を有する画像表示装置において、
前記制御部は、前記輝度値の変更速度を一定速度として目標値まで変更する制御を行うことを特徴とする画像表示装置。
【請求項３】
前記制御部は、前記変更速度を視覚的に違和感を生じさせない限界速度に設定することを特徴とする請求項１又は２に記載の画像表示装置。
【請求項４】
表示パネルと、該表示パネルを照射する光源と、を有する画像表示装置であって、入力信号に基づいて目標とする表示の明るさになるように制御する際に、光源が発する光量（以下、請求の範囲内において「光源輝度」と称する。）を変更するとともに、該光量の変更を補償するように前記表示パネルに出力する信号の輝度値を変更するための補償パラメータを設定する制御を行う制御部を有する画像表示装置において、
前記制御部は、光源前記輝度値の変更速度を、輝度を上げる上りでは遅くし、輝度を下げる下りでは速くする制御を行うことを特徴とする画像表示装置。
【請求項５】
前記制御部は、光源輝度の目標値と現在値との差に依存して定められる速度（以降、「基本追従速度」と称する。）と前記限界速度とのうち、輝度を上げる上りではより遅い方を、輝度を下げる下りではより速い方を選択して制御することを特徴とする請求項３又は４に記載の画像表示装置。
【請求項６】
前記基本追従速度の値を、滑らかに追従するように更新していくことを特徴とする請求項５に記載の画像表示装置。
【請求項７】
前記制御部は、現在輝度値が大きいほど速く制御するように前記限界速度の値を切り替えることを特徴とする請求項３から６までのいずれか１項に記載の画像表示装置。
【請求項８】
前記制御部は、現在値と目標値との変化量が小さい場合に前記限界速度を、変化量が大きい場合には前記基本追従速度と前記限界速度を選択して制御することを特徴とする請求項７に記載の画像表示装置。
【請求項９】
前記光源を有機ＥＬ装置とすることを特徴とする請求項１から８までのいずれか１項に記載の画像表示装置。
【請求項１０】
前記光源は、表示領域において複数の領域のそれぞれを独立に光量制御可能な光源であり、
前記制御部は、前記複数の領域毎に独立して前記表示パネルに出力する信号の輝度値を変更する制御を行うことを特徴とする請求項１から９までのいずれか１項に記載の画像表示装置。
【請求項１１】
前記光源は、色成分毎に複数の光源が設けられており、
前記制御部は、前記色成分毎に、明るさへの寄与度に応じて、輝度値を変更する制御を行うことを特徴とする請求項１から９までのいずれか１項に記載の画像表示装置。
【請求項１２】
前記寄与度の小さい色においては、下りについてはより速く制御し、上りについてはより遅く制御することを特徴とする請求項１１に記載の画像表示装置。
【請求項１３】
前記複数の領域毎に独立して前記表示パネルに出力する信号の輝度値を変更する制御を行うことを特徴とする請求項１から９までのいずれか１項に記載の画像表示装置。
【請求項１４】
前記複数の領域のうち目立ちにくい領域について、下りについてはより速く制御し、上りについてはより遅く制御することを特徴とする請求項１３に記載の画像表示装置。
【請求項１５】
請求項１から１４までのいずれか１項に記載の画像表示装置を備え、
前記制御部に前記輝度値の変更速度を可変とする制御を行わせるための切り替えスイッチを有することを特徴とする携帯端末。
【請求項１６】
請求項３から１４までのいずれか１項に記載の画像表示装置を備え、
前記限界速度を切り替える機能を有することを特徴とする携帯端末。
【請求項１７】
請求項１から１４までのいずれか１項に記載の画像表示装置と、通信部と、映像受信部と、を備え、
前記制御部は、前記通信部からの取得した映像については前記輝度値の変更速度を一定とし、前記映像受信部からの取得した映像については前記輝度値の変更速度を可変とする制御を行うことを特徴とする携帯端末。
【請求項１８】
前記通信部の動作を検出した場合には、前記前記輝度値の変更速度を可変とする制御を停止することを特徴とする請求項１７に記載の携帯端末。
【請求項１９】
表示パネルと、該表示パネルを照射する光源と、を有する画像表示装置であって、入力信号に基づいて目標とする表示の明るさになるように制御する際に、光源が発する光量（以下、請求の範囲内において「光源輝度」と称する。）を変更するとともに、該光量の変更を補償するように前記表示パネルに出力する信号の輝度値を変更するための補償パラメータを設定する制御する表示制御方法であって、
前記輝度値の変更速度を一定速度として目標値まで変更する制御を行うステップを有することを特徴とする表示制御方法。
【請求項２０】
請求項１９に記載のステップをコンピュータに実行させるためのプログラム。
【発明の詳細な説明】
【技術分野】
【０００１】
本発明は、画像表示装置およびその制御方法に関する。
【背景技術】
【０００２】
近年、テレビジョン装置やパーソナルコンピュータ、携帯端末などにおいて、動画像を含む画像を表示する画像表示装置の重要性が高まっている。特に、液晶表示装置などの光源と液晶パネルなどを利用した非自発光型の画像表示装置が良く用いられている。図１９は、最も一般的な液晶表示技術を示す図である。図１９に示すように、例えば５０％のグレーを表示させる場合には、光源の発光量は１００％のままで、映像信号における輝度値を、例えばＹ＝２５５からＹ＝１２８に減らし、人間の目に５０％のグレーとして見えるようにすることができる。【０００３】
しかしながら、このような一般的な方法では、グレーにしているにもかかわらず、消費電力の高い光源に関する低電力化が行われていないため、画像表示装置全体としての消費電力を下げることは難しい。このように、画像表示装置における低消費電力化のために光源の制御技術が重要な役割を果たす。【０００４】
例えば、下記特許文献１に記載の技術は、映像が暗いほど光源の輝度を下げても見た目の明るさは失われないことを利用して、入力信号の最大階調や平均階調等の尺度により映像の明るさを検知して光源の輝度を動的に決定するものである。図２０は、特許文献１に記載の技術の概略を示す図である。図２０（Ａ）に示す通常の状態では、明るさと輝度の階調値（Ｙ）との関係は、輝度が高くなるほど明るさも大きくなる関係を有する。一方、図２０（Ｂ）に示すように、光源輝度を低くすると、矢印で示すように、明るさの階調値依存性にする傾きは小さくなってしまう。そこで、図２０（Ｃ）に示すように、映像信号の輝度を増幅して明るさを画像処理により元のように復元する。これにより、光源の輝度を下げても、画像処理により元の明るさを得ることができる。【０００５】
しかしながら、図２０（Ｃ）に示すように、画像処理により元の明るさを得ようとしても、光源の輝度以上には補償できないため、映像の見た目を保存するためには、映像の明るさに応じて（映像が暗いほど光源輝度を小さくするように）光源輝度を随時更新する制御が必須となる。
【特許文献１】特開２００６−３０８６３２号公報
【発明の開示】
【発明が解決しようとする課題】
【０００６】
しかしながら、前述の光源制御においては、映像信号の明るさを解析した上で光源の制御を行うため、光源輝度と映像信号の不一致期間が生じることになり、人間の見た目にはちらつきとして感知され、視覚的に違和感を感じる場合があるという問題がある（図２１参照）。【０００７】
この課題に対し、シーンチェンジ以外では輝度変化の速度を遅くし、ちらつきを目立たなくするという技術もあるが（例えば、特開2000-330505号公報）、シーンチェンジではないとみなされた場合に電力削減効果が極めて小さくなるという問題がある。【０００８】
また、特許文献１のように、フレームメモリを設けて映像信号の出力に遅延を与え、光源の制御と同期させるという方法もあるが、特に回路のサイズやコストにおいて制約がある携帯端末においては、適用することは困難である。【０００９】
本発明は、画像表示における低消費電力化を図るとともに、視覚的に違和感のない表示を行う技術を提供することを目的とする。
【課題を解決するための手段】
【００１０】
本発明の一観点によれば、表示パネルと、該表示パネルを照射する光源と、を有する画像表示装置であって、入力信号に基づいて目標とする表示の明るさになるように制御する際に、光源が発する光量（以下、請求の範囲内において「光源輝度」と称する。）を変更するとともに、該光量の変更を補償するように前記表示パネルに出力する信号の輝度値を変更するための補償パラメータを設定する制御を行う制御部を有する画像表示装置において、前記制御部は、前記輝度値の変更速度を可変とする制御を行うことを特徴とする画像表示装置が提供される。【００１１】
また、表示パネルと、該表示パネルを照射する光源と、を有する画像表示装置であって、入力信号に基づいて目標とする表示の明るさになるように制御する際に、光源が発する光量（以下、請求の範囲内において「光源輝度」と称する。）を変更するとともに、該光量の変更を補償するように前記表示パネルに出力する信号の輝度値を変更するための補償パラメータを設定する制御を行う制御部を有する画像表示装置において、前記制御部は、前記輝度値の変更速度を一定速度として目標値まで変更する制御を行うことを特徴とする画像表示装置が提供される。前記制御部は、前記変更速度を、視覚的に違和感を生じさせない限界速度に設定することが好ましい。【００１２】
表示パネルと、該表示パネルを照射する光源と、を有する画像表示装置であって、入力信号に基づいて目標とする表示の明るさになるように制御する際に、光源が発する光量を変更するとともに、該光量の変更を補償するように前記表示パネルに出力する信号の輝度値を変更するための補償パラメータを設定する制御を行う制御部を有する画像表示装置において、前記制御部は、光源前記輝度値の変更速度を、輝度を上げる上りでは遅くし、輝度を下げる下りでは速くする制御を行うことを特徴とする画像表示装置が提供される。【００１３】
前記制御部は、光源輝度の目標値と現在値との差に依存して定められる速度（以降、「基本追従速度」と称する。）と前記限界速度とのうち、輝度を上げる上りではより遅い方を、輝度を下げる下りではより速い方を選択して制御することを特徴とする画像表示装置が提供される。前記基本追従速度の値を、滑らかに追従するように更新していくことが好ましい。また、前記制御部は、現在輝度値に基づいて前記限界速度の値を切り替えることが好ましい。さらに、前記制御部は、現在値と目標値との変化量が小さい場合に前記限界速度を、変化量が大きい場合には前記基本追従速度と前記限界速度を選択して制御することが好ましい。変化があまり大きくない場合は一般的な手法（基本追従速度のみ）と比べてより省電力効果が高くなる。前記光源を有機ＥＬ装置とすることが好ましい。前記光源は、表示領域において複数の領域のそれぞれを独立に光量制御可能な光源であり、前記制御部は、前記複数の領域毎に独立して前記表示パネルに出力する信号の輝度値を変更する制御を行うことが好ましい。限界速度を光源の面積や位置で変化させ省電効果を高める。面積が小さかったり、画面端側であれば目立ちにくいので、より速く（下り）／より遅く（上り）制御することが可能である。【００１４】
また、前記光源は、色成分毎に複数の光源が設けられており、前記制御部は、前記色成分毎に、明るさへの寄与度に応じて、輝度値を変更する制御を行うことが好ましい。前記寄与度の小さい色においては、下りについてはより速く制御し、上りについてはより遅く制御することが好ましい。また、複数の領域毎に独立して前記表示パネルに出力する信号の輝度値を変更する制御を行うことが好ましい。前記複数の領域のうち目立ちにくい領域について、下りについてはより速く制御し、上りについてはより遅く制御するようにしても良い。面積が小さかったり画面端側であったりすれば、限界速度を光源の面積や位置で変化させ省電効果を高めることができる。【００１５】
本発明は、上記に記載の画像表示装置を備え、前記制御部に前記輝度値の変更速度を可変とする制御を行わせるための切り替えスイッチを有することを特徴とする携帯端末であっても良い。また、上記の画像表示装置を備え、前記限界速度を切り替える機能を有することを特徴とする携帯端末が提供される。上記に記載の画像表示装置と、通信部と、映像受信部と、を備え、前記制御部は、前記通信部からの取得した映像については前記輝度値の変更速度を一定とし、前記映像受信部からの取得した映像については前記輝度値の変更速度を可変とする制御を行うことが好ましい。前記通信部の動作を検出した場合には、前記前記輝度値の変更速度を可変とする制御を停止することが好ましい。【００１６】
本発明の他の観点によれば、表示パネルと、該表示パネルを照射する光源と、を有する画像表示装置であって、入力信号に基づいて目標とする表示の明るさになるように制御する際に、光源が発する光量を変更するとともに、該光量の変更を補償するように前記表示パネルに出力する信号の輝度値を変更するための補償パラメータを設定する制御する表示制御方法であって、前記輝度値の変更速度を一定速度として目標値まで変更する制御を行うステップを有することを特徴とする表示制御方法が提供される。【００１７】
また、上記ステップをコンピュータに実行させるためのプログラムや、そのプログラムを格納する記録媒体であっても良く、プログラムは伝送媒体により取得されるものでも良い。
【発明の効果】
【００１８】
本発明によれば、画像表示における低消費電力化を図るとともに、視覚的に違和感のない表示を行うことができる。
【図面の簡単な説明】
【００１９】
【図１】本発明の一実施の形態による省電力制御の前提となる原理を示す図である。
【図２】画像の明るさと光源の輝度の時間変化を示す図であり、画像の明るさを暗くする旨の制御信号が検出されたタイミングから、光源の輝度を変化させる場合に、単位時間あたりの輝度変化量で定義される輝度変化速度について説明するための概念図である。
【図３】本実施の形態による画像表示装置の一構成例を示す図である。
【図４】光源輝度の目標決定方法の一例を示す図である。
【図５】本実施の形態による画像表示処理の流れを示すフローチャート図である。
【図６】図６は、暗くする場合の作用を示す図である。
【図７】図７は明るくする場合の作用を示す図である。
【図８】本発明の第２の実施の形態による更新処理の流れを示すフローチャート図であり、図５（Ｂ）に対応する図である。
【図９】図８に続く図である。
【図１０】本実施の形態による画像表示技術による作用を示す図である。
【図１１】本発明の第３の実施の携帯であって、基本追従速度に関する上記とは別の考え方のパターンの例を示す図であり、下りの場合の考え方を示す図である。
【図１２】光源の輝度を高くしていく上りの場合の図である。
【図１３】本実施の形態よる画像表示処理の流れを示すフローチャート図である。
【図１４】本発明の第１実施例であって、上記画像表示技術を携帯電話に適用した例を示す図であり、ワンセグ視聴機能を有する携帯電話の一構成例を示す機能ブロック図である。
【図１５】本発明の第２実施例であって、図１４に示す携帯電話を利用した実施例を示す図である。
【図１６】本発明の第３実施例であって、有機ＥＬを光源として用いた表示装置に本技術を応用した例を示す図である。
【図１７】本実施の形態による表示制御技術を利用した第４実施例を示す図である。
【図１８】本発明の第５実施例による画像表示技術を示す図である。
【図１９】一般的な液晶表示技術を示す図である。
【図２０】図２０は、特許文献１に記載の技術の概略を示す図である。
【図２１】図２１は、一般的な光源制御技術により、光源輝度と映像信号の不一致期間が生じる様子を示した概念図である。
【符号の説明】
【００２０】
Ａ…画像表示装置、１…表示装置、３…光源、５…光源制御部、７…映像信号処理部、１１…制御部、１５…映像解析部、１７…目標値設定部、２１…制御量決定部。
【発明を実施するための最良の形態】
【００２１】
本発明の実施の形態について説明する前に、本発明に係る画像表示技術の特徴について図面を参照しながら説明を行う。図１は、本実施の形態による省電力制御の前提となる原理を示す図である。図１に示すように、液晶パネル１の光源（バックライト）３の発光５を５０％とするとともに、液晶パネル１に対する映像信号の輝度値Ｙ（７）をおよそ２倍のＹ＝２５５とする。これにより、人間の目１１には、５０％のグレーとして認識できる。このように、映像の内容に合わせて光源の輝度と信号処理による補償を制御することで、見た目の明るさはそのままに消費電力を削減する。【００２２】
尚、本実施の形態における以下の説明においては、説明を簡単にするために、映像信号の輝度値と表示パネルが表示する輝度は線形に対応し、単純に映像信号の輝度値を増幅することで補償が可能であるという仮定の下に説明を行っている。但し、非線形の対応関係（いわゆるガンマ特性）を有し、より複雑な補償処理を必要とする場合においても、その補償の手段に依存せずに、同様に光源輝度の制御処理を行うことが可能である。すなわち、補償方法がどのような形であっても、本願請求項に記載された発明による光源の制御方法を用いることができるのは言うまでもない。【００２３】
ここで、発明者は、輝度を下げる場合はより速く、輝度を上げる場合はより遅く制御することで省電力効果を上乗せすることができることに想到した。その理論的な裏付けとしては、ウェーバー・フェフナーの法則が知られている。ウェーバー・フェフナーの法則は、ΔＳ＝ｋＳで表現できる。この式の意味するところは、「人間が知覚できる刺激の最小の変化量ΔSは元の刺激の大きさSに比例する」ということである。【００２４】
例えば、「10kgの荷物を持っている時に100g減らしても軽くなったと感じない」が、「500gの荷物を持っている時に100g増やすと重くなったと感じる」。これを、視覚の場合に当てはめると、「元が明るい場合はある程度速く暗くしても暗くなっていると感じにくい」、「元が暗い場合はある程度遅く明るくしても明るくなってきていると感じる」という原理を利用するものである。【００２５】
図２は、画像の明るさと光源の輝度の時間変化を示す図であり、画像の明るさを暗くする旨の制御信号が検出されたタイミングから、光源の輝度を変化させる場合に、単位時間あたりの輝度変化量で定義される輝度変化速度について説明するための概念図である。図２において、（Ａ）では、光源の輝度をゆっくり減少させており、光源輝度の減少速度は、ｖ１である。さらに、光源の輝度を早くさげると、光源輝度の減少速度はｖ２（＞ｖ１）となるが、この速度でも、まだちらつきは生じない。さらに、光源の輝度の減少速度を大きくしていくと、例えば減少速度がｖ３（＞ｖ２）では、ちらつきが感じられるようになる。そこで、視覚的に違和感が生じない限界の変化速度（限界速度）を演算し、その限界速度で目標輝度まで減少させるように制御することを考えた。【００２６】
以下、本発明の各実施の形態による画像表示技術について図面を参照しながら説明を行う。図３は、本実施の形態による画像表示装置の一構成例を示す図である。図３に示すように、本実施の形態による画像表示装置Ａは、液晶パネルなどの表示装置１と、バックライトなどの光源３と、光源制御部５と、入力信号Ｓ１に基づいて、表示装置に対する制御を行う信号を出力する映像信号処理部７と、光源制御と映像制御とを含む全体を制御する制御部１１と、を有している。制御部１１は、入力信号Ｓ１に基づいて映像を解析する映像解析部１５と、解析結果Ｓ２を受けて光源の発光量の目標値を設定する目標値設定部１７と、目標値Ｓ３を受けて光源の制御速度を決定する制御量決定部２１であって光源制御部に対して設定輝度Ｓ５を通知するとともに、映像信号処理部７に対して補償パラメータＳ４を出力する制御量決定部２１と、を有している。光源制御部５は、輝度設定値Ｓ５を受けて光源に対して光量制御信号Ｓ６を出力する。一方、映像信号処理部７は、入力信号Ｓ１と補償パラメータＳ４とにより、出力信号Ｓ７を表示装置１に対して出力する。ここで、速度制御までを含めて制御量決定部２１で行い、光源制御部５は与えられた輝度設定Ｓ５を対応するＤｕｔｙ比のパルス信号Ｓ６に変換する。以下、上記の各部と各用語についてより詳細に説明する。入力信号Ｓ１/出力信号Ｓ７は、YUV信号を想定し、特にその輝度成分Yを元に処理する。RGB等の他の信号形式の場合、前後に変換処理部を設けて同様に処理することが可能である。映像信号処理部７は、例えば、出力Ｙ’=ａＹ（ａ＝補償パラメータ）という演算で補正処理を行う。表示装置１は、非自発光型表示装置であり、主としてＬＣＤを想定している。光源は、冷陰極管、ＬＥＤ、有機EL等、特に種類は選ばないが、いわゆるバックライト装置である。制御部１１が、後述するヒストグラム等を用いて映像の明るさを解析し、解析結果を元に輝度と補償量の目標値を設定し、時間あたりの変化が例えば限界速度になるよう輝度の制御量を決定する。光源制御部５は、一般的なＰＷＭ等の方法で光源輝度を所望の値に設定可能である。【００２７】
次に、光源輝度の目標決定方法について説明する。図４は、光源輝度の目標決定方法の一例を示す図である。図４の左図は、画像に関して輝度（Ｙ）の階級に関するヒストグラムの例を示す図である。尚、階級とは、Ｙ値を一定の範囲毎にグループ化したものであって、例えば、Ｙが０以上８未満であれば０階級、８以上１６未満では１階級、…とする。ここで、ヒストグラムにおいて、右図に示すように、上の階級から順番に積算していき、しきい値を超えた階級を元に目標となる光源輝度を決定することができる。
【表１】
2009044828.tif 000003
【００２８】
表１は、階級とＰＷＭのＤｕｔｙ比と、光源輝度との関係を示すテーブルであり、このような参照テーブルは、予め用意しておき、不揮発性メモリ等にＣＰＵが参照可能に格納しておく。これにより、ヒストグラムを得ることで、光源輝度の目標値を簡単に決定することができる。【００２９】
以下、本発明の第１の実施の形態による画像表示技術について、図面を参照しながら説明を行う。図５は、本実施の形態による画像表示処理の流れを示すフローチャート図である。図５（Ａ）は、メインの処理の流れを示す図であり、図５（Ｂ）は、更新処理の流れを示す図である。図５（Ａ）に示すように、制御部では、まず、処理を開始すると（ＳＴＡＲＴ）、ステップＳ１００においてヒストグラムの集計を行う。ステップＳ２００において、光源輝度の目標値Ｌｄｓｔの算出を行う。ステップＳ３００において、後述する更新処理を行うことで次の制御値を設定する。次いで、ステップＳ４００において、現在の補償パラメータＡｃｕｒ＝光源輝度と補償量を対応付ける関数Ｆ（Ｌｃｕｒ）の式より補償パラメータを求め、ステップＳ５００に示すように、Ｌｃｕｒ＝＝Ｌｄｓｔになるまで、すなわち目標値に到達するまでステップＳ３００からＳ４００までの計算を継続し、Ｌｃｕｒ＝＝Ｌｄｓｔ、すなわち目標値になると計算を終了する（ＥＮＤ）。【００３０】
ステップＳ３００の更新処理では、図５（Ｂ）に示すように、処理を開始すると（ＳＴＡＲＴ）、ステップＳ３１０において、輝度値を増加する方向か減少する方向かをＬｄｓｔ−Ｌｃｕｒが０以上であるかどうかにより判定する。Ｙｅｓの場合には上りであるため、ステップＳ３２１に進み、（Ｌｃｕｒ＋Ｄｕｐ）がＬｄｓｔよりも小さいか否かを判定する。ここで、Ｄｕｐは、上り限界変化量である。Ｄｕｐは上り限界速度Ｖ１２とステップＳ３００の処理周期Ｔｆに基づいて、Ｄｕｐ＝Ｖ１２・Ｔｆで定められる。処理周期Ｔｆは通常１フレーム期間の整数倍となる。一方、Ｎｏの場合には、ステップＳ３２２に進み、（Ｌｃｕｒ＋Ｄｕｐ）がＬｄｓｔよりも大きいか否かを判定することで目標に到達しているかどうかを判定する。【００３１】
ステップＳ３２１において、Ｙｅｓの場合には目標に到達していないと判定されステップＳ３３１に進み、Ｎｏの場合には目標に到達していると判定されステップＳ３３０に進む。ステップＳ３３１において、Ｌｃｕｒ＝Ｌｃｕｒ＋Ｄｕｐを演算することで現在値に一定値を加算することにより更新すべきＬｃｕｒを求める。ステップＳ３３０においては、Ｌｃｕｒ＝ＬｄｓｔとしてＬｃｕｒを更新する。ステップＳ３２２において、Ｙｅｓの場合には、目標値に到達していないためステップＳ３３２に進み、Ｌｃｕｒ＝Ｌｃｕｒ−Ｄｄｏｗｎを演算することで更新すべきＬｃｕｒを求める。Ｎｏの場合には目標値に到達しているためステップＳ３３０に進み、Ｌｃｕｒ＝ＬｄｓｔとしてＬｃｕｒを更新する。【００３２】
図６・７は、上記処理に基づく作用を示す図であり、図６は、暗くする場合の作用、図７は明るくする場合の作用を示す図である。図６（Ａ）、図６（Ｂ）に示すように、映像の明るさを、あるタイミングで暗くする場合に、光源輝度を、現在地から下り限界速度ｖ１１で目標値に至るように輝度を減少させる制御を行う。図７は、暗から明へ調整される様子を示す図である。この場合には、現在値から目標値まで至る際に上り限界速度ｖ１２で制御する。上記図６・７において、ｖ１１、ｖ１２は、それぞれ、限界速度またはそれに近いそれ未満の速度である。尚、下りの場合には早く、上りの場合には遅く、輝度を制御するため、見た目の明るさをそのままに省電力効果を高くすることができるという利点がある。尚、ｖ１１、ｖ１２の好適な値としては、例えば、光源の最大輝度を１００％とした場合に、３．５から７％／秒の範囲で設定しうることを、発明者らは実験的に算出している。【００３３】
次に、本発明の第２の実施の形態による画像表示技術について図面を参照しながら説明を行う。基本的な構成については同様である。本実施の形態においては、現在輝度と目標輝度との差を一定時間で除算した速度（基本追従速度）を設けるとともに、限界速度と基本追従速度とを比べ、速い方（下り時）／遅い方（上り時）を選択して制御することを特徴とする。この制御は映像が大きく暗くなる場合には、映像の変化に注目しているため、大きく輝度を下げてしまっても、ちらつきを無視することができる。また、映像がゆっくりと明るくなっている場合は、ちらつきの有無に拘わらず輝度を上げる必要が無いという着想に基づくものである。【００３４】
図８は、本実施の形態による更新処理の流れを示すフローチャート図であり、図５（Ｂ）に対応する図である。図５（Ａ）に示すメインの処理は本実施の形態においても適用が可能である。図８のステップＳ３１０からＳ３２２までは、図５（Ｂ）と同じである。異なるのは、Ｓ３３３以降のステップである。本実施の形態では、ステップＳ３２１でＹｅｓの場合にはステップＳ３３４に進み、Ｌ１＝Ｌｃｕｒ＋Ｄｕｐにより、Ｌ１＝限界速度による輝度の算出値を求める。ステップＳ３２１でＮｏ又はステップＳ３２２でＮｏの場合には、ステップＳ３３３に進み、Ｌ１＝ＬｄｓｔによりＬ１を求める。また、ステップＳ３２２においてＹｅｓの場合には、ステップＳ３３５に進み、Ｌ１＝Ｌｃｕｒ−ＤｄｏｗｎによりＬ１を求める。このように、第２の実施の形態では光源輝度の現在値Ｌｃｕｒを求める処理において、限界速度による輝度の算出値Ｌ１を求める。次いで、図９に示すように、ステップＳ３４０において、基本追従変化量Ｄｔを、処理周期Ｔｆと輝度制御の開始から目標輝度に到達するまでの時間を指定する定数Ｔを用いて、Ｄｔ＝（Ｌｄｓｔ−Ｌｓｔａｒｔ）Ｔｆ／Ｔにより求める。ステップＳ３５０において、基本追従速度に基づいて算出された目標値Ｌ２を、Ｌ２＝Ｌｃｕｒ＋Ｄｔにより求める。次いで、ステップＳ３６０において、Ｌ１−Ｌｃｕｒの値が、Ｌ２−Ｌｃｕｒの値より大きいか否かを判定する。すなわち、上りの場合には変化が小さい方を、下りの場合は変化が大きい方を選択する。Ｙｅｓであれば、Ｌ１の方が選択され、ステップＳ３７１に進む。一方、ステップＳ３６０においてＮｏであれば、Ｌ２の方が選択され、ステップＳ３７２に進む。【００３５】
ステップＳ３７１においては、Ｌ１−Ｌｃｕｒの絶対値とＬｄｓｔ−Ｌｃｕｒの絶対値とを比較する。後者が大きい場合には（Ｙｅｓ）、目標値を越えていないと判定できるため、ステップＳ３８１においてＬｃｕｒ＝Ｌ１とする。前者が大きい場合には（Ｎｏ）目標値を越えると判定できるためステップＳ３８０に進みＬｃｕｒ＝Ｌｄｓｔとする。【００３６】
ステップＳ３７２においては、Ｌ２−Ｌｃｕｒの絶対値とＬｄｓｔ−Ｌｃｕｒの絶対値とを比較する。後者が大きい場合には（Ｙｅｓ）、ステップＳ３８２においてＬｃｕｒ＝Ｌ２とする。前者が大きい場合には（Ｎｏ）、ステップＳ３８０に進みＬｃｕｒ＝Ｌｄｓｔとする。【００３７】
このように、ステップＳ３６０においてＬ１とＬ２とを比較し、ステップＳ３７１ではＬ１に関してＬｄｓｔと比較することで、下りであれば速い方を（ステップＳ３８１）、上りであれば遅い方を（ステップＳ３８０）選択して制御する。ステップＳ３７２に関しても同様である。【００３８】
図１０は、本実施の形態による画像表示技術による作用を示す図である。現在値と目標値との差（変化）があまり大きくない場合には、一般的な手法（基本追従速度のみ）と比べて、省電力効果が高くなる。図１０（Ａ）に示すように、映像の変化が大の場合には、基本追従速度ｖ２１によって制御が行われるため、一般的な手法と同様の省電力効果が得られる。一方、図１０（Ｂ）に示すように、映像の明るさの変化が小さい場合には、基本追従速度ｖ２２と下り限界速度との差異に相当する分（図中網掛けの面積Ｓ分）だけ、電力消費の削減効果が増えている。【００３９】
次に、本発明の第３の実施の形態による画像表示技術について図面を参照しながら説明を行う。図１１は、基本追従速度に関する上記とは別の考え方のパターンの例を示す図であり、下りの場合の考え方を示す図である。図１１に示すように、時間と光源の輝度とから求まる（輝度／時間）である基本追従速度ｖの値を、追従動作中も随時更新するものであり、図１１中において太線で示される（Ｌ１０、Ｌ１１、Ｌ１２、Ｌ１３）。この場合、基本追従速度による制御は、図１１中の拡大図Ｄに示されるように、更新処理毎に目標輝度との差から部分直線Ｌ１４〜Ｌ１６のような制御を順次行い、全体としては図１１中の一点鎖線で示されるような制御となる（Ｌ１１）。このような制御方法により、より滑らかに光源の輝度を制御することができるので実用性が高いという利点がある。本実施例の別の側面としては、基本追従速度と限界速度のより速い方を選択するという処理により、図１１に示すように、下りの場合には、漸近線のように遅くなっていく基本追従速度（一点鎖線Ｌ１１で示される）を下り限界速度（破線Ｌ１２で示される）を用いて強制的にきっぱりと収束させ、ＳＡ１で示される部分だけ省電力を図ることができるという意味がある。【００４０】
一方、図１２に示すように、光源の輝度を高くしていく上りの場合、Ｌ２１で示すように急速に立ち上がろうとする基本追従速度による追従を上り限界速度Ｌ２２で抑えることにより、Ｌ２０、Ｌ２２、Ｌ２３で示すように、省電力化をはかることができる（ＳＡ２で示す領域分だけ）。【００４１】
図１３は、本実施の形態よる画像表示処理の流れを示すフローチャート図である。図８の白丸Ａまでの処理は第２の実施の形態と同様であるため、それ以降の処理のみを図１３において示すこととする。まず、図８のＳ３３３からＳ３３５までのうちのいずれかから、Ｓ３４０に進み、Ｄｔ＝（Ｌｄｓｔ−Ｌｃｕｒ）Ｔｆ／Ｔによる基本追従速度Ｄｔを演算する。図８に示すＳ３４０との相違点は、基本追従速度Ｄｔを、追従開始時の輝度設定値Ｌｓｔａｒｔの代わりに光源輝度の現在値を基準にして決めていくことにある。次に、Ｓ３５０において、Ｌ２＝Ｌｃｕｒ＋Ｄｔ（第２の実施の形態と同じ）により、基本追従速度で算出された目標値Ｌ２を求める処理を含め、その後の、Ｓ３６０からＳ３８２までの処理は図９に示す第２の実施の形態と同様である。要するに、図１１・１２で説明した点が本実施の形態による技術と第２の実施の形態による技術との相違点である。【００４２】
以下、上記の実施の形態による画像表示技術の応用例について実施例として説明する。
【実施例】
【００４３】
[実施例１]
図１４は、上記画像表示技術を携帯電話に適用した例を示す図であり、ワンセグ視聴機能を有する携帯電話の一構成例を示す機能ブロック図である。図１４に示すように、本実施例による携帯電話Ｂは、表示装置３１と、光源３３と、光源制御部３５と、映像信号処理部３７と、アンテナ４０と、全体を制御する制御部４１と、無線制御部４３と、受信データ処理部４５と、映像信号生成部４７と、入力装置５１と、を有する。この構成は、一般的なワンセグ受信機能を有する携帯電話と同様である。但し、映像信号生成部４７からの入力信号が、映像信号処理部３７と制御部４１とに入力され、制御部から出力された補償設定と入力信号とが、映像信号処理部３７に入力される。この構成は、図３に示す構成と同様である。光源３３の制御と出力信号の制御とは、上記第１から第３までの実施の形態による制御が実施される。このようにすることで、例えば携帯電話によりワンセグ視聴を行う場合に、映像の明るさを変更する場合に、視覚的に違和感（チラツキなど）を生じないようにすることができ、また、光源の輝度を上下させる際に、電力消費を抑制することができる。特に、ワンセグ視聴では、映像の内容の変化が多いため、そのような内容の変化が生じた場合に、上記のように光源と映像信号とを制御することで、映像のチラツキを抑制しつつ省電力化が可能になる。また、入力装置５１に、限界速度を変換するスイッチなどを設けて、省電力モードと通常モードとを切り替えたり、省電力の度合いを変更する調整スイッチを設けるようにしても良い。また、上記の切り替え、および調整はＧＵＩを用いたメニュー操作によるものであっても良い。【００４４】
[実施例２]
図１５は、図１４に示す携帯電話を利用した実施例を示す図である。左図に示すように、本実施の形態による表示部３１における光源の動的制御による電力の変動は、携帯電話Ｂにおけるアンテナ４１を介しての無線通信に関して外乱５３を生じ得ることに着目したものである。このような外乱が生じることは好ましくないため、右図に示すように、発信／着信５５が検出されると、表示部３１における動的制御、すなわち、本実施の形態による画像表示技術に基づく制御をオフにする機能を設ける。元々、テレビ視聴の場合と異なり、無線通信による表示は例えば電子メールやインターネットなどに基づく表示であるため、テレビジョン受信に基づく表示や録画したテレビ番組の受信と異なり、動的制御をそれほど必要としない。そこで、本実施例では、表示の種別や通信の種別などにより、動的制御の必要性が低い場合には、動的制御機能をオフする機能を持たせる。尚、動的制御機能に関しては、表示の種別や通信の種別を検出して自動的にオン／オフするようにしても良いし、手動でオン／オフするようにしても良い。【００４５】
[実施例３]
次に、有機ＥＬを光源として用いた表示装置に本技術を応用した例について図１６を参照しながら説明する。図１６に示す表示装置は、有機ＥＬを光源とした液晶表示装置である。基本的には、携帯端末の表示部として利用することができる。有機ＥＬを光源とする場合には、その寿命が問題となるが、有機ＥＬの寿命を延長するためには、輝度を下げることが有効である。【００４６】
有機ＥＬの光源を、上記にように省電力制御すると、光源の寿命を延長することができる。例えば、有機ＥＬの光源を、例えば、１０ ％ のピーク輝度を低下させると、表示パネルの信頼性時間を１０ ％ 程度改善することができる。もちろん、ＬＥＤなどを光源にしても良いが、特に、有機ＥＬで効果を発揮する。【００４７】
[実施例４]
次に、本実施の形態による表示制御技術を利用した第４実施例について図１７を参照しながら説明を行う。図１７は、冷陰極管やLEDのアレイで構成されている場合などのように、光源輝度をエリアごとに制御可能な構成を有する液晶表示装置の一構成例を示す図である。本実施の形態では、液晶パネル３１ａに対して、例えば１つの領域に対応する５つの光源３３ａ−１〜５までのように、独立に制御できるように配置されており、各々が本実施の形態による表示制御技術により制御可能になっている。図１７（Ａ）は本実施の形態による制御を行う前の状態を表しており、例えば両端に黒い帯３１ａ−１，３１ａ−３を表示するような信号が入力されたとする。これに対し、図１７（Ｂ）に示すように本実施の形態の表示制御技術により制御を行うと、３３ｂ−１，３３ｂ−５のように両端の光源の輝度を下げることができる。この時、表示パネルの領域３１ｂ−１と領域３１ｂ−３に表示される映像は、領域３１ｂ−２に表示される映像に比べ、視覚的な注意を引きにくいと考えられることから、限界速度をより速く（下り方向）／より遅く（上り方向）制御することにより、省電力効果を高めることができる。すなわち、表示面積が小さかったり、画面端側であったりすれば、変化が目立ちにくいという視覚特性を利用して、限界速度を光源の面積や位置で変化させ省電効果を高めることができるように構成されている。【００４８】
[実施例５]
次に、本発明の第５実施例による画像表示技術について図面を参照して説明を行う。本実施例による画像表示装置は、光源がRGB成分毎に設けられている構成であって、多数のＬＥＤアレイでなどの自発光型の光源により構成されている。図１８（Ａ）に示す構成は、ＲＧＢのぞれぞれの光源（ＬＥＤアレイ）１３３ａ〜１３３ｃを含む光源パネル１３３と、これに対向して配置されている液晶パネル１３１とを有している。このような構成において、特定の色成分（例えばＧ成分１３３ｂ）が大きい映像信号が入力された場合、図１８（Ｂ）に示すように、他の成分（２３３ａ，２３３ｃ）の光源輝度を下げることができる。この時、限界速度を色成分（光源２３３ａ〜ｃ）で変化させることで省電効果を高めるように構成されている。すなわち、明るさへの寄与度が小さい色、例えばＢについてはより速く（下り）／より遅く（上り）制御するようにする。これにより、より一層、省電力化が可能である。尚、Y=0.299R+0.587G+0.114Bであり、輝度に対する寄与度は、R:G:B≒3：6：1である。【００４９】
以上に説明したように、本実施の形態による画像表示技術においては、上り制御および下り制御のいずれの場合においても、省電力化をはかることができるという利点がある。尚、上記実施の形態では、原色系のＲＧＢで説明したが、補色系などの画素を用いても良いことは言うまでもない。
【産業上の利用可能性】
【００５０】
本発明は、画像表示装置に利用可能である。また、画像表示装置を利用した携帯端末、テレビジョン受信装置などのＡＶ機器などに利用可能である。
【図１】
2009044828.tif 000004
【図２】
2009044828.tif 000005
【図３】
2009044828.tif 000006
【図４】
2009044828.tif 000007
【図５】
2009044828.tif 000008
【図６】
2009044828.tif 000009
【図７】
2009044828.tif 000010
【図８】
2009044828.tif 000011
【図９】
2009044828.tif 000012
【図１０】
2009044828.tif 000013
【図１１】
2009044828.tif 000014
【図１２】
2009044828.tif 000015
【図１３】
2009044828.tif 000016
【図１４】
2009044828.tif 000017
【図１５】
2009044828.tif 000018
【図１６】
2009044828.tif 000019
【図１７】
2009044828.tif 000020
【図１８】
2009044828.tif 000021
【図１９】
2009044828.tif 000022
【図２０】
2009044828.tif 000023
【図２１】
2009044828.tif 000024
【手続補正書】
【提出日】平成21年2月23日(2009.2.23)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
表示パネルと、該表示パネルを照射する光源と、を有する画像表示装置であって、前記画像表示装置へ入力する映像信号を前記表示パネルに表示し、目標とする表示の明るさになるように制御する際に、前記光源が発する光量（以下、請求の範囲内において「光源輝度」と称する。）を変更するとともに、該光源輝度の変更を補償し、かつ、前記光源輝度を上げるときには下げるときよりその変更速度を遅くする制御を行う制御部を有する画像表示装置。
【請求項５】
前記制御部は、前記光源輝度の目標値と前記光源輝度の現在値との差に依存して定められる速度（以降、「基本追従速度」と称する。）と所定の速度（以降、「限界速度」と称する）とのうち、前記光源輝度を上げる上りではより遅い速度を、輝度を下げる下りではより速い速度を選択して制御することを特徴とする請求項４に記載の画像表示装置。
【請求項６】
前記制御部は、前記基本追従速度の値を、前記光源輝度の現在値を前記光源輝度の目標値に近づける動作中に更新することを特徴とする請求項５に記載の画像表示装置。
【請求項７】
前記制御部は、前記光源輝度の現在値に基づいて前記限界速度の値を切り替えることを特徴とする請求項５に記載の画像表示装置。
【請求項８】
前記制御部は、前記基本追従速度と前記限界速度のうち前記光源輝度を上げる上りではより遅い一方を、輝度を下げる下りではより速い一方を選択して制御することを特徴とする請求項５又は６に記載の画像表示装置。
【請求項９】
（削除）
【請求項１０】
前記光源は、前記表示パネルを構成する複数の領域に異なる光源輝度を使用可能であり、
前記制御部は、１つ以上の前記領域に、他の前記領域とは異なる前記光源輝度の変更速度を適用することを特徴とする請求項４に記載の画像表示装置。
【請求項１１】
前記光源は、色成分毎に異なる光源輝度を使用可能であり、
前記制御部は、前記色成分毎に、前記色成分の変化量あたりの輝度値の変化量の大小に応じて、前記光源輝度の変更速度を変えることを特徴とする請求項４に記載の画像表示装置。
【請求項１２】
前記制御部は、前記色成分の変化量あたりの輝度値の変化量の小さい色においては、より大きい色より、前記光源輝度を速く下げる、又は遅く上げることを特徴とする請求項１１に記載の画像表示装置。
【請求項１３】
前記制御部は、前記複数の領域のうち画面端側の領域においては、画面端側ではない領域より、前記光源輝度を速く下げる、又は遅く上げることを特徴とする請求項１０に記載の画像表示装置。
【請求項１４】
前記制御部は、前記複数の領域のうち面積が小さい領域においては、より大きい領域より、前記光源輝度を速く下げる、又は遅く上げることを特徴とする請求項１０に記載の画像表示装置。
【請求項１５】
（削除）
【請求項１６】
（削除）
【請求項１７】
（削除）
【請求項１８】
（削除）
【請求項１９】
（削除）
【請求項２０】
（削除）
【請求項２１】
前記光源を有機ＥＬ装置とすることを特徴とする請求項４から８、１０から１４までのいずれか１項に記載の画像表示装置。
【請求項２２】
請求項４から８、１０から１４、２１のいずれか１項に記載の画像表示装置と、通信部と、映像受信部と、を備え、
前記制御部は、前記通信部から取得した映像については前記光源輝度の変更速度を一定とし、前記映像受信部から取得した映像については前記光源輝度の変更速度を可変とする制御を行うことを特徴とする携帯端末。
【請求項２３】
前記通信部の動作を検出した場合には、前記光源輝度の変更速度を可変とする制御を停止することを特徴とする請求項２２に記載の携帯端末。
【請求項２４】
表示パネルと、該表示パネルを照射する光源と、を有する画像表示装置における表示制御方法であって、
目標とする表示の明るさになるように制御する際に、前記光源輝度を変更するとともに、該光源輝度の変更を補償し、かつ、前記光源輝度を上げるときには下げるときよりその変更速度を遅くする制御を行うステップを有することを特徴とする表示制御方法。
【請求項２５】
請求項２４に記載の表示制御方法をコンピュータに実行させるためのプログラム。
【手続補正書】
【提出日】平成22年1月27日(2010.1.27)
【手続補正１】
【補正対象書類名】特許請求の範囲
【補正対象項目名】全文
【補正方法】変更
【補正の内容】
【特許請求の範囲】
【請求項１】
表示パネルと、該表示パネルを照射する光源と、を有する画像表示装置であって、前記画像表示装置へ入力する映像信号を前記表示パネルに表示し、目標とする表示の明るさになるように制御する際に、前記光源が発する光量（以下、請求の範囲内において「光源輝度」と称する。）を変更するとともに、該光源輝度の変更を補償し、かつ、前記光源輝度を上げるときには下げるときよりその変更速度を遅くする制御を行う制御部を有する画像表示装置。
【請求項２】
前記制御部は、前記光源輝度の目標値と前記光源輝度の現在値との差に依存して定められる速度（以降、「基本追従速度」と称する。）と所定の速度（以降、「限界速度」と称する）とのうち、前記光源輝度を上げる上りではより遅い速度を、輝度を下げる下りではより速い速度を選択して制御することを特徴とする請求項１に記載の画像表示装置。
【請求項３】
前記制御部は、前記基本追従速度の値を、前記光源輝度の現在値を前記光源輝度の目標値に近づける動作中に更新することを特徴とする請求項２に記載の画像表示装置。
【請求項４】
前記制御部は、前記光源輝度の現在値に基づいて前記限界速度の値を切り替えることを特徴とする請求項２に記載の画像表示装置。
【請求項５】
前記制御部は、前記基本追従速度と前記限界速度のうち前記光源輝度を上げる上りではより遅い一方を、輝度を下げる下りではより速い一方を選択して制御することを特徴とする請求項２又は３に記載の画像表示装置。
【請求項６】
前記光源は、前記表示パネルを構成する複数の領域に異なる光源輝度を使用可能であり、
前記制御部は、１つ以上の前記領域に、他の前記領域とは異なる前記光源輝度の変更速度を適用することを特徴とする請求項１に記載の画像表示装置。
【請求項７】
前記光源は、色成分毎に異なる光源輝度を使用可能であり、
前記制御部は、前記色成分毎に、前記色成分の変化量あたりの輝度値の変化量の大小に応じて、前記光源輝度の変更速度を変えることを特徴とする請求項１に記載の画像表示装置。
【請求項８】
前記制御部は、前記色成分の変化量あたりの輝度値の変化量の小さい色においては、より大きい色より、前記光源輝度を速く下げる、又は遅く上げることを特徴とする請求項７に記載の画像表示装置。
【請求項９】
前記制御部は、前記複数の領域のうち画面端側の領域においては、画面端側ではない領域より、前記光源輝度を速く下げる、又は遅く上げることを特徴とする請求項６に記載の画像表示装置。
【請求項１０】
前記制御部は、前記複数の領域のうち面積が小さい領域においては、より大きい領域より、前記光源輝度を速く下げる、又は遅く上げることを特徴とする請求項６に記載の画像表示装置。
【請求項１１】
前記光源を有機ＥＬ装置とすることを特徴とする請求項１から１０のいずれか１項に記載の画像表示装置。
【請求項１２】
請求項１から１１のいずれか１項に記載の画像表示装置と、通信部と、映像受信部と、を備え、
前記制御部は、前記通信部から取得した映像については前記光源輝度の変更速度を一定とし、前記映像受信部から取得した映像については前記光源輝度の変更速度を可変とする制御を行うことを特徴とする携帯端末。
【請求項１３】
前記通信部の動作を検出した場合には、前記光源輝度の変更速度を可変とする制御を停止することを特徴とする請求項１２に記載の携帯端末。
【請求項１４】
表示パネルと、該表示パネルを照射する光源と、を有する画像表示装置における表示制御方法であって、
目標とする表示の明るさになるように制御する際に、前記光源輝度を変更するとともに、該光源輝度の変更を補償し、かつ、前記光源輝度を上げるときには下げるときよりその変更速度を遅くする制御を行うステップを有することを特徴とする表示制御方法。
【請求項１５】
請求項１４に記載の表示制御方法をコンピュータに実行させるためのプログラム。
【国際調査報告】
2009044828.tif 000025
2009044828.tif 000026
2009044828.tif 000027
2009044828.tif 000028
2009044828.tif 000029
2009044828.tif 000030
2009044828.tif 000031
2009044828.tif 000032